(57)【要約】【課題】リキャップによって内容物の保存が可能な合成樹脂製の薄肉容器を提案する。【解決手段】薄肉の胴体を備えた合成樹脂製の薄肉容器において、前記胴体１の頂部に、破断予定線Ｌに沿う引きちぎりよって開封可能な密閉栓２ｂを備えた注出頚部２を設ける。そして、該注出頚部２の外周壁に、該頚部の基端を起点とする折り返しによって胴体１に設けた少なくとも一の連係部５に連係させてリッキャップする少なくとも一の係止部分４を設ける。【選択図】図１
2010155634.tif 000002
【特許請求の範囲】
【請求項１】
薄肉の胴体を備えた合成樹脂製の薄肉容器であって、
前記胴体の頂部に、破断予定線に沿う引きちぎりよって開封可能な密閉栓を備えた注出頚部を設け、
該注出頚部の外周壁に、該頚部の基端を起点とする折り返しによって胴体に設けた少なくとも一の連係部に連係させてリッキャップする少なくとも一の係止部分を設けたことを特徴とする薄肉容器。
【請求項２】
前記連係部が、凹部又は貫通孔あるいは凸部であり、前記係止部分が、該凹部又は貫通孔に適合する突起あるいは該凸部に適合する凹部又は貫通孔である、請求項１記載の薄肉容器。
【発明の詳細な説明】
【技術分野】
【０００１】
本発明は、薄肉容器に関するものであり、開封後における容器のリキャップを可能にして残存内容物の品質の保持を図ろうとするものである。
【０００２】
シャンプーやリンス、液体石鹸、化粧料等を入れる容器の分野では、資源の有効活用、ゴミの減量化を図る観点から、とくに詰め替え容器として使用される容器としては、合成樹脂をブロー成形することによって所望の形状に形成した薄肉の容器が提案されている（例えば、特許文献１参照）。
【特許文献１】特開２００５−０６７６８０号公報
【０００３】
従来、この種の容器は、詰め替え容器として用いられるのが普通であり、注出部に予め設けられたノッチや破断予定線に沿って栓体を切断、分離することで容器を開封することを通例としているところ、内容物の詰め替えに際しては容器内に内容物が残ることもあり、その場合には、リキャップすることは不可能であり、長期にわたって開封されたまま保持された場合には内容物の品質に影響を与えることが懸念され、しかも、誤って内容物をこぼしてしまうなどの不具合がありその改善が求められていた。
【発明の開示】
【発明が解決しようとする課題】
【０００４】
本発明の課題は、主として詰め替え容器等の使途に好適な合成樹脂製の薄肉容器に、内容物が残った場合においても確実にリッキャップして品質の維持を図るところにある。
【課題を解決するための手段】
【０００５】
本発明は、薄肉の胴体を備えた合成樹脂製の容器であって、
前記胴体の頂部に、破断予定線に沿う引きちぎりよって開封可能な密閉栓を備えた注出頚部を設け、
該注出頚部の外周壁に、該頚部の基端を起点とする折り返しによって胴体に設けた少なくとも一の連係部に連係させてリッキャップする少なくとも一の係止部分を設けたことを特徴とする薄肉容器である。
【０００６】
上記の構成になる薄肉容器において、連係部は、凹部又は貫通孔あるいは凸部とすることができ、係止部分は、該凹部又は貫通孔に適合する突起あるいは該凸部に適合する凹部又は貫通孔とすることができる。
【発明の効果】
【０００７】
注出頚部の基端を起点にして頚部を折り返し、その折り返し姿勢を保持することにより開封後の容器をリキャップしたので、別途に栓体を設けずとも残存内容物を容器内に保持しておいても品質劣化を招いたり、誤ってこぼれ出てしまうことがない。
【発明を実施するための最良の形態】
【０００８】
以下、図面を参照して本発明をより具体的に説明する。
図１は本発明に従う合成樹脂製の薄肉容器の実施の形態を示した図である。
【０００９】
図における１は容器の胴体、２は胴体１の頂部に設けられた注出頚部である。胴体１及び注出頚部２は何れもが薄肉になっており、胴体１については内容物の充填量が減るにしたがい減容可能となっている。
【００１０】
注出頚部２は容器の胴体１と一体的に成形されており、胴体１に直接つながる筒状の本体部分２ａと、破断予定線Ｌを介して引きちぎり可能につながる密閉栓２ｂから構成され、本体部分２ａの基端に設けられた環状凹部２ａ１を起点にして該本体部分２ａを折り返すことができるように構成されている。
【００１１】
また、３は密閉栓２ｂの天面に設けられた溶着部である。この溶着部３は、内容物を容器の胴部１に充填する充填口を形成するものであり、内容物の充填後に熱や接着剤を利用して密着される。この溶着部３は、薄い板状部材であるので、密閉栓２ｂを引きちぎる際の摘みとして使用することもできる。
【００１２】
４は注出頚部２の本体部分２ａに設けられた係止部分である。この係止部分４は本体部分２ａの外周壁と一体連結する板状の突出片４ａと、この突出片４ａの幅広面に形成された突起４ｂから構成されている。
【００１３】
５は胴体１に設けられた連係部である。この連係部５は胴体１の壁部に形成された凹部からなっており、容器の開封後において注出頚部２の本体部分２ａを図２に示すように環状凹部２ａ１を起点に折り返し、係止部分４の突起４ｂを凹部５に嵌合させることにより該本体部分２ａの折り返し姿勢を維持して容器のリキャップを行う。
【００１４】
上記の構成になる容器にあっては、別途にキャップを使用せずとも容器の密閉が可能であり、容器内に内容物が残存していてもリキャップしている限りにおいて内容物の品質が保持されるとともに誤って内容物をこぼしてしまうこともない。
【００１５】
係止部分４については、本体部分２ａの対向面にもう一つ設け、その係止部分に対応する連係部を形成しておくことも可能であり、このような構成にすると本体部分２ａの折り返し姿勢をより確実に保つことができる。
【００１６】
また、係止部分４を、図３に示すように、本体部分２ａの折り返し側とは反対側の外周壁に若干ずらして設けておくことで容器をリキャップした際に、注出頚部２の流路を確実に押し潰すことができ、これにより容器を確実に密閉できる。
【００１７】
図４は本発明にしたがう他の実施の形態を要部について示した図であり、図中６は胴体１の上部の外表面に起立状態で一体的に設けられたフィン、７はフィン６設けられ連係部５を形成するための貫通孔である。
【００１８】
上掲図４に示した容器は、注出頚部２の本体部分２ａを折り返しその際に係止部分４の突起４ｂを貫通孔７に適合（嵌合）させるものであり、これによれば上掲図１の容器と同様に容器を確実に密閉することができる。
【００１９】
この例も図示はしないが係止部分４については、本体部分２ａの対向面にもう一つ設け、その係止部分に対応する連係部を形成すべく、貫通孔７を有するフィン６を設けておくことができる。
【００２０】
係止部分４は図５に示すように弾性的に変形可能な舌片として構成することも可能であり、舌片を設けた場合には貫通孔７も同様の形状に形成して該舌片を差し入れればよく、このような構成によっても本体部分２ａの折り返し姿勢を確実に保持することができる。
【００２１】
本発明にしたがう薄肉容器は、ブロー成形により全て一体成形できる単一部材にて構成することができるので、効率的な製造が行えるとともに材料の使用量の減量化を図るのにとりわけ有利となる。なお、容器の成形法は射出成形法や従来知られている成形法が適用可能であり、ブロー成形のみに限定されることはない。
【００２２】
係止部分４に凹部あるいは貫通孔を設け、連係部５に係止部分４の凹部あるいは貫通孔に適合する突起や凸部を設けてよいのはいうまでもなく、この点については限定されない。
【００２３】
内容物を充填する充填口は、密閉栓２ｂの天面に設けた場合について図示したが、胴体１と注出頚部２の間（肩部）や底部に設けることもできる。
【００２４】
注出頚部２の本体部分２ａは潰し易い楕円形状が望ましいが、他の形状を適用することも可能であり、その形状については任意に変更し得る。
【００２５】
フィン６を設けた容器においては、その部位を把手（持ち手）として利用することが可能となり注出作業が容易となるとともに、貫通孔７をフックとして使用することができ、使い勝手が著しく改善される。フィン６を把手として利用する場合には貫通孔７の他に指が入るサイズの孔を少なくとも１つ設けておけばよくこのような構成により注出作業のより一層の改善が可能となる。
【産業上の利用可能性】
【００２６】
リキャップにより内容物の保存が可能な薄肉容器が提供できる。
【図面の簡単な説明】
【００２７】
【図１】本発明にしたがう薄肉容器の実施の形態を示した図である。
【図２】図１に示した容器のリキャップ状態を示した断面図である。
【図３】図１に示した容器の変形例を要部について示した図である。
【図４】本発明にしたがう容器の他の実施の形態を示した図である。
【図５】本発明にしたがう容器の他の実施の形態を示した図である。
【符号の説明】
【００２８】
１      胴体
２      注出頚部
２ａ    本体部分
２ｂ    密閉栓
３      溶着部
４      係止部分
４ａ    突出片
４ｂ    突起
５      連係部
６      フィン
７      貫通孔
Ｌ      破断予定線
【図１】
2010155634.tif 000003
【図２】
2010155634.tif 000004
【図３】
2010155634.tif 000005
【図４】
2010155634.tif 000006
【図５】
2010155634.tif 000007